(57)【要約】      （修正有）【課題】テッシュペーパー箱から当該テッシュペーパーを取出す際に、残量が少量になった時にも、円滑に取出すことができるテッシュペーパー収納箱を提供する。【解決手段】テッシュペーパー収納箱上面板にテッシュ取出孔を形成し、前記上面板に取出孔を覆う開閉自在の扉３と当該扉端には２個のローラー２を対面するように設置し、ローラー間からテッシュペーパーを引き抜く。【選択図】図１
0003203055.tif 000002
【実用新案登録請求の範囲】
【請求項１】
上面板にテッシュ取出孔を形成し、前記上面板には取出孔を覆う２個の開閉自在の扉と当該扉端にはローラーが具備され、前記扉を閉鎖した状態で当該ローラー面が対向することを特徴とするテッシュペーパー収納箱。
【請求項２】
前記ローラーの回転軸に１個以上のローラーが嵌め込まれたことを特徴とする請求項１記載のテッシュペーパー収納箱。
【考案の詳細な説明】
【技術分野】
【０００１】本考案は、テッシュペーパー収納箱の上面板に２個のローラーを具備させたテッシュペーパー収納箱に関する。
【背景技術】
【０００２】従来、テッシュペーパー箱から当該テッシュペーパーを取出す際に、残量が少量になった時に引き出そうとするテッシュペーパーが上面孔に達せず、確実に取出せないという不都合や一回の取出し時に複数枚のテッシュペーパーが絡み出てくる不都合がある。
【先行技術文献】
【特許文献】
【０００３】
【特許文献１】特許公報  第２９５８６８５号
【特許文献２】公開特許公報  特開平６−９２３７８号
【特許文献３】公開特許公報  特開２００３−３２７２８１号
【特許文献４】公開実用新案公報  実開平７−１７１９６号
【特許文献５】実用新案登録公報  第２５５１９９６号
【０００４】
【考案の概要】
【考案が解決しようとする課題】
【０００５】上記問題を解決するために、特許公報第２９５８６８５号には上部のものから取り出すにつれて嵩減りするテッシュペーパーの収納ケースにおいて、上部開放の角箱状ケースの内面に沿わせて雄ねじを軸受で枢支立設して備え、この雄ねじに螺合したナットに底板をその端部付近で固定横設することで、この底板を前記ケース内に雄ねじの回転に伴い昇降可能に平設するとともに、この底板上のテッシュペーパー重積体をその上部のものから取り出すための取り出し口を有する蓋板を前記ケースの上面に開閉可能に被せてなる底上げ式テッシュペーパー収納ケースが提案されている。【０００６】特開平６−９２３７８号には、上面板に取出孔を形成した箱体の側板を蛇腹状に形成し、前記側板へ上面板および底板の少なくとも一方を開閉自在に設けることを特徴とするテッシュペーパー収納箱が提案されている。また、特開２００３−３２７２８１号にはテッシュボックス本体に別途に構成されたテッシュペーパーに対する押し上げ機構をテッシュペーパー共々本体に収納し本体に底板を差し込むことにより常にテッシュペーパーは最上部に位置し容易に取り出しが出来、底板を抜き取ることにより簡単に詰め替えができるテッシュペーパー収納箱が提案されている。【０００７】実開平７−１７１９６号にはデザイン性を優先させたテッシュペーパー収納箱が提案されている。具体的には、テッシュペーパー収納箱の上面板の端部を支点として回動自在に取りつけられた蓋を取り付けたテッシュ収納箱である。【０００８】実用新案登録公報第２５５１９９６号には、収納箱本体に設けられた蓋部の下面と、収納された、箱入りテッシュペーパーの上面との間に、前後に可動自在の紙押さえを設け、テッシュペーパーの露出された部分を押し曲げ、その長さを約半減せしめた後に、開閉蓋を閉じることの出来るティシュペーパー収納箱が提案されている。【０００９】いずれの提案もテッシュペーパー残量が少量になった時に引き出そうとする課題を克服するために成されたものであるが操作性の観点およびデザイン性の観点から必ずしも優れているとは言えないのが現状である。
【課題を解決するための手段】
【００１０】上記課題に鑑み、考案者は誠意工夫の結果、操作性の観点、衛生面の観点およびデザイン性の観点を両立させることが可能とする上面板にテッシュ取出孔を形成し、前記上面板には取出孔を覆う２個の開閉自在の扉と当該扉端にはローラーが具備され、前記扉を閉鎖した状態で当該ローラー面が対向することを特徴とするテッシュペーパー収納箱を見出した。
【考案の効果】
【００１１】本考案のテッシュペーパー収納箱上板面に具備した対向するローラー面により市販テッシュペーパーボックスからのテッシュを円滑に取り出すことが可能となり、又当該ローラー間によるストッパーの作用により次回使用するテッシュペーパーが確実にローラー間に保持されるばかりか複数のテッシュペーパーが纏めて出てくることも防止できる。また、病状者はテッシュペーパー使用頻度が高く、テッシュペーパー取出し動作だけでも負担が掛かる場合があり、市販テッシュペーパーボックスおよび先願技術では上記課題を克服できなかったが、本考案のテッシュペーパー収納箱では市販テッシュペーパーボックスの所定枚数に重ね合わせた状態のテッシュペーパーを簡単かつ確実に取出すことが可能となり病状者や高齢者にも優しいテッシュペーパー収納箱である。
【図面の簡単な説明】
【００１２】
【図１】本考案であるテッシュペーパー収納箱の上面図
【図２】図１をＡ方向から見た本考案であるテッシュペーパー収納箱
【図３】開閉扉の構造を示す図
【図４】開閉扉を開状態にした本考案テッシュペーパー収納箱の上面図
【図５】図４をＢ方向から見た本考案であるテッシュペーパー収納箱
【図６】回転軸に複数の分割ローラーを備えた本考案の実施例
【図７】一体型開閉扉を具備した本考案の実施例
【図８】一体型開閉扉を具備した本考案の別の実施例
【図９】図８の実施例の開閉扉を開状態にした本考案テッシュペーパー収納箱
【図１０】収納蓋と収納容器を一体化させた本考案の実施例
【考案を実施するための形態】
【００１３】以下、本考案に係る実施の形態を図面により説明する。
【実施例】
【００１４】図１は、本考案の一具体例であるテッシュペーパー収納箱の上面図である。
本考案のテッシュペーパーボックス収納蓋（１）は市販のテッシュペーパーボックスを覆うことが可能な大きさであり、全体がほぼ直方体形状をなし、材質としては木製、金属、合成樹脂若しくは前記材質の組み合わせを用いる。【００１５】前記テッシュペーパーボックス収納蓋（１）の上面には２個のローラー（２）面が対面するように設けられ、前記ローラー回転軸の受け部（５）が各ローラー両端に具備され、前記受け部（５）は扉（３）に固定（以降、開閉扉を言う）されており、開閉扉と収納蓋（１）に支点として蝶番（４）が取り付けられているため、前記開閉扉は蝶番（４）にて開閉自在できる構造となっている。Ａ方向からの外観を図２に示すが市販のテッシュペーパーボックスを収納するための容器（６）の上に本考案の蓋を被せることで完成する。
尚、前記開閉扉の材質に関しては木製、ゴム、金属、合成樹脂若しくは前記材質の組み合わせを用いる。【００１６】図３は、前記開閉扉の構造を示す。前記開閉扉の両側の磁石（７）は、図４に示すテッシュペーパー収納箱蓋（１）に固定された磁石（７）と対面する位置に固定されている。また、テッシュペーパー収納箱蓋（１）にはテッシュペーパーを引き出し孔（８）が上面板に設けてある。【００１７】対面するローラー（２）間の隙間は、テッシュペーパー厚みより広いとテッシュペーパーボックスの残量が減ると当該テッシュペーパーが滑り落ちてしまう、又隙間が狭すぎると引き出そうとするテッシュが破損するため前記課題を解決できるようにローラー間隙間を設定する必要がある。【００１８】本考案であるテッシュペーパー収納箱の利用方法は、市販のテッシュペーパーボックスを収納容器（６）に挿入し、本考案のテッシュペーパー収納蓋を被せ、図５に示すように扉を開いた状態にて引出し孔（８）から前記テッシュペーパーを引き出し、２個のローラー（２）面の間に挟み込むだけでよい。【００１９】本考案の別の実施例として、図６には一本の回転軸に複数の分割ローラー（９）を具備させたもの、図７には本考案のテッシュペーパー収納蓋に回転軸受け部（５）と扉（３）を一体化させた扉（１０）としたもの、図８は図７の開閉扉を収納箱上面部全体に拡張したものであり、前記開閉扉（１０）を開状態にした状態を図９に示す。本実施例に寄ればテッシュペーパー取出し孔（８）のサイズをテッシュペーパーボックスのサイズより大きくできるため開閉扉（１０）を介してテッシュペーパーボックスの交換が可能となる。【００２０】図１０は本考案の収納蓋（１）とテッシュペーパーボックス収納容器（６）を一体型（１１）にしたものを示す。図１０（左側）はテッシュペーパーボックス挿入用の開口部（１２）が側面に設けられ、挿入されたテッシュボックスが滑り落ちないように滑り防止板（１３）が前記開口部（１２）の下側に固定されている。図１０（右側）の開口部（１４）は図１０（左側）の開口部（１２）下辺の高さを前記滑り防止板（１３）の上辺位置まで狭めたものである。具体的には、市販のテッシュペーパーボックス（１５）を前記開口部（１４）から挿入し、前記テッシュペーパーボックス（１５）から引き出したテッシュペーパー（ＴＰ）を上面板の取出し孔（８）を経由してローラー（２）間に挟み込むことで完成する。又、図示していないが前記開口部（１２）に開閉扉を取り付けても良い。
【産業上の利用可能性】
【００２１】本考案は、テッシュペーパーのみならずキッチンペーパー用収納箱にも適用することが可能である。
【符号の説明】
【００２２】１    テッシュペーパーボックス収納蓋
２    ローラー
３    扉
４    蝶番
５    ローラー回転軸の受け部
６    テッシュペーパーボックスの収納容器
７    磁石
８    テッシュペーパー取出し孔
９    分割ローラー
１０  ローラー回転軸受け部と扉を一体化させた扉
１１  収納蓋と収納容器を一体型とした本考案のテッシュパーパー収納箱
１２  テッシュペーパーボックス挿入用の開口部
１３  テッシュペーパーボックス滑り防止板
１４  テッシュペーパーボックス滑り防止板と一体化させた開口部
１５  テッシュペーパーボックス
ＴＰ  テッシュペーパー
【図１】
0003203055.tif 000003
【図２】
0003203055.tif 000004
【図３】
0003203055.tif 000005
【図４】
0003203055.tif 000006
【図５】
0003203055.tif 000007
【図６】
0003203055.tif 000008
【図７】
0003203055.tif 000009
【図８】
0003203055.tif 000010
【図９】
0003203055.tif 000011
【図１０】
0003203055.tif 000012